(57)【要約】【課題】簡易な構成で、揮散剤の揮散量を調整することが可能な揮散剤容器を提供する。【解決手段】容器本体１０と、揮散キャップ２０とを備える揮散剤容器１であって、揮散キャップ２０は、周壁２１に形成された開口２３に嵌め込まれるように配置された開閉パネル２４を有し、開閉パネル２４は、開閉パネル２４の幅方向の中央に位置する押圧部２５と、押圧部２５の左右両側にそれぞれヒンジ部２６を介して連結された一対の揺動部２７とを有し、一対の揺動部２７はそれぞれ、周壁２１に対して上下一対の軸部２８によって連結され、軸部２８を支点として周壁２１に対して揺動可能に構成されており、押圧部２５を揮散キャップ２０の内側に向けて押し込むことにより、それぞれの揺動部２７が軸部２８を支点として揺動し、開口２３の開放度合いを変更可能に構成されていることを特徴とする。【選択図】図１
2020183245.tif 000002
【特許請求の範囲】
【請求項１】
揮散剤を収容する容器本体と、該容器本体の口部を覆うように装着される有頂筒状の揮散キャップとを備え、前記容器本体に収容された揮散剤を吸い上げて揮散させる揮散剤容器であって、
前記揮散キャップは、前記揮散キャップの周壁に形成された開口に嵌め込まれるように配置された開閉パネルを有し、
前記開閉パネルは、該開閉パネルの幅方向の中央に位置する押圧部と、該押圧部の左右両側にそれぞれヒンジ部を介して連結された一対の揺動部とを有し、
前記一対の揺動部はそれぞれ、前記周壁に対して上下一対の軸部によって連結され、前記軸部を支点として前記周壁に対して揺動可能に構成されており、
前記押圧部を前記揮散キャップの内側に向けて押し込むことにより、それぞれの前記揺動部が前記軸部を支点として揺動し、前記開口の開放度合いを変更可能に構成されていることを特徴とする揮散剤容器。
【請求項２】
前記揺動部には、該揺動部の内面から突出する突出片が設けられており、
前記揺動部が揺動する際に、前記突出片に設けられた凸部が前記開口の内周縁部に対して乗り越え可能に接触するよう構成されている、請求項１に記載の揮散剤容器。
【請求項３】
前記周壁には、複数箇所に前記開口が形成されており、
それぞれの前記開口に前記開閉パネルが配置されている、請求項１又は２に記載の揮散剤容器。
【請求項４】
前記揮散キャップの天壁には、前記揮散キャップの内側に揮散体を保持する揮散体保持部が設けられている、請求項１〜３の何れか一項に記載の揮散剤容器。
【請求項５】
前記開閉パネルは、前記押圧部の下方にヒンジ部を介して連結された環状の板状部を有する、請求項１〜４の何れか一項に記載の揮散剤容器。
【請求項６】
前記板状部には、前記揮散キャップの内側に向けて突出する前記突起部が設けられており、
前記押圧部が押し込まれた状態で、前記容器本体の外面に前記突起部を当接させるとともに、該突起部を支点として前記板状部を揺動させることにより、前記押圧部を引き上げることができるように構成されている、請求項５に記載の揮散剤容器。
【発明の詳細な説明】
【技術分野】
【０００１】
本発明は、容器本体に収容された芳香剤や消臭剤等の揮散剤を吸い上げて揮散させる揮散剤容器に関するものである。
【背景技術】
【０００２】
芳香剤等の内容液（揮散剤）を揮散させるのに使用される揮散剤容器としては、例えば、揮散剤を収容する容器本体と、容器本体に装着されるカバー体と、このカバー体の内側に配置される紙あるいはフェルト製等の板状の揮散体と、容器内の揮散剤を吸い上げて拡散板（揮散体）に染み込ませる吸い上げ芯とを備えるものが知られている（特許文献１参照）。
【先行技術文献】
【特許文献】
【０００３】
【特許文献１】特開２００１−２６１０８０号公報
【発明の概要】
【発明が解決しようとする課題】
【０００４】
しかしながら、上記の揮散剤容器では、揮散剤の揮散量を調整することはできなかった。また、例えば、揮散剤の揮散量を調整するための部品等をカバー体に組み付ける場合には、揮散剤容器全体の構造が複雑化したり、部品数が増加してコストが増大したりする虞がある。
【０００５】
それゆえ本発明は、簡易な構成で、揮散剤の揮散量を調整することが可能な揮散剤容器を提供することを目的とする。
【課題を解決するための手段】
【０００６】
本発明は、上記課題を解決するためになされたものであり、本発明の揮散剤容器は、揮散剤を収容する容器本体と、該容器本体の口部を覆うように装着される有頂筒状の揮散キャップとを備え、前記容器本体に収容された揮散剤を吸い上げて揮散させる揮散剤容器であって、
前記揮散キャップは、前記揮散キャップの周壁に形成された開口に嵌め込まれるように配置された開閉パネルを有し、
前記開閉パネルは、該開閉パネルの幅方向の中央に位置する押圧部と、該押圧部の左右両側にそれぞれヒンジ部を介して連結された一対の揺動部とを有し、
前記一対の揺動部はそれぞれ、前記周壁に対して上下一対の軸部によって連結され、前記軸部を支点として前記周壁に対して揺動可能に構成されており、
前記押圧部を前記揮散キャップの内側に向けて押し込むことにより、それぞれの前記揺動部が前記軸部を支点として揺動し、前記開口の開放度合いを変更可能に構成されていることを特徴とするものである。
【０００７】
なお、本発明の揮散剤容器にあっては、前記揺動部には、該揺動部の内面から突出する突出片が設けられており、
前記揺動部が揺動する際に、前記突出片に設けられた凸部が前記開口の内周縁部に対して乗り越え可能に接触するよう構成されていることが好ましい。
【０００８】
また、本発明の揮散剤容器にあっては、前記周壁には、複数箇所に前記開口が形成されており、
それぞれの前記開口に前記開閉パネルが配置されていることが好ましい。
【０００９】
また、本発明の揮散剤容器にあっては、前記揮散キャップの天壁には、前記揮散キャップの内側に揮散体を保持する揮散体保持部が設けられていることが好ましい。
【００１０】
また、本発明の揮散剤容器にあっては、前記開閉パネルは、前記押圧部の下方にヒンジ部を介して連結された環状の板状部を有することが好ましい。
【００１１】
また、本発明の揮散剤容器にあっては、前記板状部には、前記揮散キャップの内側に向けて突出する突起部が設けられており、
前記押圧部が押し込まれた状態で、前記容器本体の外面に前記突起部を当接させるとともに、該突起部を支点として前記板状部を揺動させることにより、前記押圧部を引き上げることができるように構成されていることが好ましい。
【発明の効果】
【００１２】
本発明によれば、簡易な構成で、揮散剤の揮散量を調整することが可能な揮散剤容器を提供することができる。
【図面の簡単な説明】
【００１３】
【図１】本発明の一実施形態に係る揮散剤容器の正面図である。
【図２】図１に示す揮散剤容器のＡ−Ａ線における側面視での断面図である。
【図３】図１に示す揮散剤容器のＢ−Ｂ線における平面視での断面図である。
【図４】図３に示す状態から、揮散剤容器の開閉パネルを開く様子を示す断面図である。
【図５】図４に示す状態から、揮散剤容器の開閉パネルを閉じる様子を示す断面図である。
【図６】本発明の他の実施形態に係る揮散剤容器の正面図である。
【図７】図６に示す揮散剤容器のＣ−Ｃ線における側面視での断面図である。
【図８】図６に示す揮散剤容器のＤ−Ｄ線における側面視での断面図であり、１つの開閉パネルが開いた状態を表している。
【図９】図６に示す揮散剤容器の板状部の動作を示す図である。
【発明を実施するための形態】
【００１４】
以下、図面を参照して、本発明の一実施形態に係る揮散剤容器１について詳細に説明する。図１は、正立姿勢の揮散剤容器１の正面図であり、図２は、図１のＡ−Ａ線における側面視での断面図（縦断面図）であり、図３は、図１のＢ−Ｂ線における平面視での断面図（横断面図）である。なお、本明細書、特許請求の範囲、及び要約書において、「上」側とは、容器本体１０に対して揮散キャップ２０が位置する側（図１における上側）であり、「下」側とはその反対側（図１における下側）である。また、図３に示す平面視において扁平な六角形状となる揮散剤容器１の短軸方向を前後方向とし、長軸方向を左右方向とする。
【００１５】
揮散剤容器１は、容器本体１０に収容された揮散剤を吸い上げて揮散させるものである。揮散剤容器１は、揮散剤の収容空間Ｓを有する容器本体１０と、容器本体１０に装着される揮散キャップ２０とを備えている。なお、収容空間Ｓに収容される内容液（揮散剤）としては、例えば、芳香剤、消臭剤、除湿剤、又は虫除け剤等の忌避剤などの揮散性の液体とすることができるが、これらに限られるものではない。
【００１６】
容器本体１０は、図２に示すように、筒状の口部１１と、口部１１の下端部に連なる有底筒状の胴部１２とを備え、容器本体１０の内部に収容空間Ｓが形成されている。
【００１７】
本例の口部１１は円筒状であり、その外周面には雄ねじ部１１ａ及びネックリング１１ｂが設けられている。本例の胴部１２は、図３に示すように、平面視で扁平な六角形状である。本例では、扁平な胴部１２の短軸方向を揮散剤容器１の前後方向とし、長軸方向を左右方向としている。また、図２に示すように、胴部１２の外面には、揮散キャップ２０を嵌合保持するための嵌合凹部１２ａが設けられている。嵌合凹部１２ａは、胴部１２の周方向全体にわたって形成してもよいし、周方向の一部のみに形成してもよい。胴部１２の底面には平坦な接地面１２ｂが設けられており、容器本体１０は、図１に示すように口部１１の先端（上端）の開口が上向きとなる正立姿勢で載置することができるように構成されている。なお、容器本体１０は、口部１１が横向きとなる傾倒姿勢、もしくは口部１１が下向きとなる倒立姿勢で用いる構成としてもよい。
【００１８】
口部１１には、吸い上げ芯１３を保持するホルダー１４が装着されている。吸い上げ芯１３は、例えばフェルト材やパルプ材、合成樹脂製の多孔質体、繊維束体にて棒状に形成され、その下端は容器本体１０の胴部１２の底部まで延びている。これにより、容器本体１０内（収容空間Ｓ内）の揮散剤は吸い上げ芯１３に浸透し、吸い上げ芯１３の上端まで吸い上げられる。
【００１９】
ホルダー１４は、吸い上げ芯１３を保持する係合筒１４ａと、係合筒１４ａの上部に位置する環状のフランジ部１４ｂと、口部１１の内周面に嵌合するシール筒部１４ｃと、を有する。
【００２０】
口部１１には、図２に示す蓋体１５を装着することができ、これにより収容空間Ｓを密閉することができる。なお、本例の蓋体１５は、口部１１にねじ係合する構成であるが、これに限られず、アンダーカット係合により抜け止め保持される構成としてもよい。また、蓋体１５は、揮散剤容器１の非使用状態で装着されるものであり、使用時には取外されるものである。
【００２１】
図１〜３に示すように、揮散キャップ２０は、筒状の周壁２１と周壁２１の上端部に連続して連なる天壁２２とを有する有頂筒状である。揮散キャップ２０は、口部１１を外側から覆うように、容器本体１０に対して着脱可能に装着される。また、本例の揮散キャップ２０は合成樹脂製であり、周壁２１及び天壁２２が射出成形等により一体成形されたものとすることができる。
【００２２】
周壁２１は、胴部１２と平面視形状が略同一となるような六角形の筒状であり、容器本体１０に装着した状態で胴部１２の上部に滑らかに連なるように形成されている。周壁２１の内周面の下端部には、嵌合凹部１２ａに嵌り込む嵌合凸部２１ａが設けられており、これにより、本例の揮散キャップ２０は、胴部１２に対して着脱可能に嵌合保持される。本例の嵌合凸部２１ａは、周壁２１の前側及び後側における周方向の一部のみに設けられているが、これに限られず、周壁２１の左右方向に設けてもよいし、周方向全体に設けてもよい。
【００２３】
揮散キャップ２０は、周壁２１に形成された開口２３に嵌め込まれるように配置された開閉パネル２４を有する。開口２３は、周壁２１を内外に貫通している。なお、本例では、周壁２１の正面側および背面側にそれぞれ、正面視で略長方形状の開口２３が設けられているが、開口２３の数、位置、形状は適宜変更可能である。本例では、軸線Ｏを挟んで正面側及び背面側に同一形状の開口２３が対向配置されており、それぞれの開口２３に開閉パネル２４が設けられている。また、開口２３の数、位置、形状に応じて、開閉パネル２４の数、位置、形状も変更することができる。なお、周壁２１及び天壁２２には、揮散剤を揮散させるための孔を設けてもよい。
【００２４】
開閉パネル２４は、当該開閉パネル２４の幅方向（揮散剤容器１の左右方向）の中央に位置する押圧部２５と、押圧部２５の左右両側にそれぞれヒンジ部２６を介して連結された一対の揺動部２７とを有する。一対の揺動部２７はそれぞれ、周壁２１に対して上下一対の軸部２８によって連結され、軸部２８を支点として周壁２１に対して揺動可能に構成されている。本例の軸部２８は、軸線Ｏに平行に延在している。
【００２５】
天壁２２には、揮散キャップ２０の内側に揮散体３０を保持するためのフック部２９（揮散体保持部）が設けられている。フック部２９は、天壁２２から下方に向けて延在している。本例では、軸線Ｏを挟んで対向配置された左右一対のフック部２２ｂが設けられているが、これに限られず、フック部２２ｂの形状、数、位置等は適宜変更可能である。
【００２６】
ここで、揮散体３０（含浸体）は、濾紙の他、フェルト材やパルプ材、合成樹脂製の多孔質体、繊維束体によってブロック状に形成されている。揮散体３０は、使用時においては吸い上げ芯１３の上端部に接触するものであり、吸い上げ芯１３で吸い上げられた揮散剤を浸透させて揮散させることができる。揮散体３０は、フック部２９に保持された状態で上下に移動可能に構成されていてもよい。揮散体３０は、揮散キャップ２０の内側で、天壁２２に平行に配置される。
【００２７】
図４に示すように、押圧部２５を揮散キャップ２０の内側に向けて押し込むことにより、それぞれの揺動部２７が軸部２８を支点として揺動し、開口２３の開放度合いを変更可能に構成されている。押圧部２５を押し込むことで、揺動部２７における軸部２８よりも内側（押圧部２５寄り）の部分Ｐ１は揮散キャップ２０の内側に向けて移動し、軸部２８よりも外側（押圧部２５から遠い側）の部分Ｐ２は揮散キャップ２０の外側に向けて開き、これにより、押圧部２５を押し込むにつれて開口２３の開放度合いは徐々に大きくなる。そして、押圧部２５を揮散キャップ２０の内側に最大まで押し込むことで、開口２３の開放度合いは最大となる。したがって、本例では、対向配置された２つの開閉パネル２４の両方の押圧部２５を最大まで押し込むことで、揮散剤の揮散量を最大化させることができる。
【００２８】
逆に、開口２３の開放度合いを小さくしたり、開閉パネル２４を元に戻したりする際には、図５に示すように、揺動部２７における軸部２８よりも外側の部分Ｐ２を揮散キャップ２０の内側に向けて押し込むようにする。これにより、押圧部２５を押し込む場合とは逆側に揺動部２７が軸部２８を支点として揺動し、徐々に元の位置に戻っていき、最終的には、図１に示す初期状態に戻る。なお、本例では、図１に示す初期状態が、最も開口２３の開放度合いが小さくなった状態である。このようにして、開閉パネル２４を操作して、開口２３の開放度合いを変更することにより、揮散剤の揮散量を調整することが可能となる。
【００２９】
揺動部２７には、揺動部２７の内面から揮散キャップ２０の内側に向けて突出する突出片２７ａが設けられている。突出片２７ａは、軸部２８よりも幅方向外側（押圧部２５から遠い側）に配置されている。また、本例の突出片２７ａは、揺動部２７の上部のみに配置されている。突出片２７ａは、揺動部２７の下部のみに設けてもよいし、揺動部２７の上部と下部の両方に設けてもよい。突出片２７ａの上端面には、複数の凸部２７ｂが相互に間隔を空けて一直線状に配置されている。凸部２７ｂは、揺動部２７が揺動する際に、開口２３の内周縁部２３ａ（本例では揺動部２７の上方に位置する部分）に対して乗り越え可能に接触する。このような構成により、揺動部２７が揺動する際に、各凸部２７ｂが開口２３の内周縁部２３ａを乗り越える際の感触により、開口２３がどの程度開いたかの目安にすることができる。また、本例のように複数の凸部２７ｂを設けることで、開口２３の開放度合いを段階的に調整することができる。
【００３０】
また、凸部２７ｂが開口２３の内周縁部２３ａに接触して乗り越える際には、揺動される揺動部２７に所定量の抵抗を付与することができる。これにより、揺動部２７を所定の位置に安定した状態で保持することができ、外部からの衝撃や振動等により、開口２３の開放度合いが意図せず変化することを抑制することができる。なお、本例の突出片２７ａは軸線Ｏに平行に延在する板状であり、凸部２７ｂは半球状の突起であるが、突出片２７ａ及び凸部２７ｂの形状は適宜変更可能である。また、本例では各突出片２７ａに、４つの凸部２７ｂが突出片２７ａの延在方向に沿って直線状に設けられているが、凸部２７ｂの数及び位置はこれに限られず、適宜変更可能である。なお、凸部２７ｂは設けなくてもよく、突出片２７ａを開口２３の内周縁部２３ａに当接させて摩擦抵抗で開放度合いを変化させてもよい。また、突出片２７ａに傾斜面を設けてもよい。
【００３１】
以上の通り、本実施形態の揮散剤容器１は、容器本体１０と、揮散キャップ２０とを備え、揮散キャップ２０は、周壁２１に形成された開口２３に嵌め込まれるように配置された開閉パネル２４を有し、開閉パネル２４は、開閉パネル２４の幅方向の中央に位置する押圧部２５と、押圧部２５の左右両側にそれぞれヒンジ部２６を介して連結された一対の揺動部２７とを有し、一対の揺動部２７はそれぞれ、周壁２１に対して上下一対の軸部２８によって連結され、押圧部２５を揮散キャップ２０の内側に向けて押し込むことにより、それぞれの揺動部２７が軸部２８を支点として揺動し、開口２３の開放度合いを変更可能に構成されている。このような構成により、開閉パネル２４の開閉操作（押圧部２５の押し込み、又は、揺動部２７における軸部２８よりも外側の部分Ｐ２の押し込み）のみで、開口２３の開放度合いを変更し、揮散剤の揮散量を容易に調整することができる。また、揮散剤の揮散量を調整するための部品等を新たに組み付ける必要がないので、容器全体の構造が複雑化したり、部品数が増加したりすることもなく、揮散剤容器１を簡易な構成とすることができる。
【００３２】
このように、本実施形態の揮散剤容器１によれば、簡易な構成で、揮散剤の揮散量を調整することが可能となる。なお、特に本例では、揮散キャップ２０を射出成形等により一体成形することができる構成としているので、部品数を少なくすることができ、その結果、製造コスト及び組立ての手間等を低減することができる。
【００３３】
また、本実施形態の揮散剤容器１にあっては、開閉パネル２４の開閉操作により揺動部２７が揺動する際に、突出片２７ａに設けた凸部２７ｂが開口２３の内周縁部２３ａに対して乗り越え可能に接触する構成としている。これにより、上述のように、凸部２７ｂが内周縁部２３ａに接触して乗り越える際の感触により開口２３がどの程度開いたかの目安にすることができる。また、外部からの衝撃や振動等により開口２３の開放度合いが意図せず変化することを抑制することができる。また、凸部２７ｂを複数設けることで、開口２３の開放度合いを段階的に調整したりすることができる。さらに、複数設けた凸部２７ｂの間隔を小さくすれば、開口２３の開放度合いを少しずつ微調整することが容易となり、その結果、揮散剤の揮散量の微調整が容易となる。
【００３４】
また、本実施形態の揮散剤容器１にあっては、開口２３及び開閉パネル２４が複数箇所に設けられているため、揮散剤の揮散量の調整幅が大きくなり、幅広い使用者の好みに対応することが可能となる。また、開口２３及び開閉パネル２４が複数箇所に設けられていることで、揮散剤の揮散量の微調整もより容易となる。
【００３５】
以下、本発明の他の実施形態について説明する。なお、上述した実施形態と基本的な機能が同一である部分は、図中、同一の符号を付して説明を省略する。図６は、揮散剤容器２の正面図であり、図７は、図６に示す揮散剤容器２のＣ−Ｃ線における側面視での断面図であり、図８は、図６に示すＤ−Ｄ線における側面視での断面図であり、１つの開閉パネル２４が開いた状態を表している。
【００３６】
図６〜８に示す揮散剤容器２は、押圧部２５に連結された環状の板状部４１を有する。板状部４１は、押し込まれた状態の押圧部２５を元に戻す際に用いることができる。例えば、板状部４１の開口に指を掛けて引き上げるようにすることで、押し込まれた状態の押圧部２５を初期状態に戻すことができる。なお、板状部４１の形状は図示例のような環状（リング状）に限られず、適宜変更可能である。
【００３７】
なお、本例では板状部板状部４１が押圧部２５の下方に設けられているが、これに限られず、例えば押圧部２５の上方に設けられていてもよい。また、本例では、対向配置された２つの開閉パネル２４にそれぞれ板状部４１を設けた構成としているが、何れか一方のみに板状部４１を設けるようにしてもよい。
【００３８】
また、本例では、板状部４１と押圧部２５とがヒンジ部４２で連結されている。これにより、押圧部２５を押し込んだ際に、ヒンジ部４２を支点に板状部４１が外側に揺動可能となる。そのため、例えば容器本体１０に板状部４１が接触して押圧部２５が押し込み難くなること等を防止することができる。
【００３９】
また、本例では、板状部４１の裏面（容器本体１０側の面）に、揮散キャップ２０の内側に向けて突出する突起部４３が設けられている。これにより、図９に示すように、押圧部２５が押し込まれた状態で、容器本体１０の外面（胴部１２における内向きに傾斜する外面）に突起部４３を当接させるとともに、突起部４３を支点として板状部４１を揺動させることにより、押圧部２５を引き上げることができる。より具体的に、本例では、図９に矢印で示すように、板状部４１の下部Ｐ３（突起部４３よりも下部）を容器本体１０側に押し込むことで、突起部４３が支点となり、シーソー状に板状部４１が揺動して押圧部２５を引き上げることができる。
【００４０】
ここで、本例の突起部４３は、板状部４１の裏面から揮散キャップ２０の内側に向けて先細りとなるように突出する、側面視で略三角形の板状突起部で構成されている。また、本例では、板状部４１の左右両側に一対の突起部４３が設けられている。突起部４３の形状、数、位置は図示例に限定されず、適宜変更可能である。
【００４１】
以上の通り、本実施形態の揮散剤容器２にあっては、指を掛けて引き上げ可能な板状部４１を押圧部２５に設けたことにより、押圧部２５を引き上げて開閉パネル２４を閉じる操作が容易となる。
【００４２】
また、本実施形態の揮散剤容器２にあっては、突起部４３を支点に板状部４１がシーソー状に揺動する構成としたことにより、押圧部２５を引き上げて開閉パネル２４を閉じる際の操作方法の幅が広がり、より利便性を高めることができる。
【００４３】
上述したところは、本発明の一例を示したにすぎず、特許請求の範囲において、種々の変更を加えることができる。例えば、上述の揮散剤容器１、２にあっては、容器本体１０の嵌合凹部１２ａに揮散キャップ２０の嵌合凸部２１ａが嵌合する構成としていたが、これに限られず、容器本体１０に揮散キャップ２０をねじ係合させる構成としてもよい。また、上述の揮散剤容器１、２にあっては、容器本体１０及び揮散キャップ２０の平面視形状が六角形状であったが、これに限られず、容器本体１０及び揮散キャップ２０はそれぞれ、平面視形状が円形、楕円形、他の多角形状となるものであってもよい。また、本発明の揮散剤容器は、匂い等を吸着する脱臭剤等の吸収剤を収容する容器としても使用可能である。
【符号の説明】
【００４４】
Ｏ：軸線
Ｓ：収容空間
１、２：揮散剤容器
１０：容器本体
１１：口部
１１ａ：雄ねじ部
１１ｂ：ネックリング
１２：胴部
１２ａ：嵌合凹部
１２ｂ：接地面
１３：吸い上げ芯
１４：ホルダー
１４ａ：係合筒
１４ｂ：フランジ部
１４ｃ：シール筒部
１５：蓋体
２０：揮散キャップ
２１：周壁
２１ａ：嵌合凸部
２２：天壁
２３：開口
２３ａ：内周縁部
２４：開閉パネル
２５：押圧部
２６：ヒンジ部
２７：揺動部
２７ａ：突出片
２７ｂ：凸部
２８：軸部
２９：フック部（揮散体保持部）
３０：揮散体
４１：板状部
４２：ヒンジ部
４３：突起部
【図１】
2020183245.tif 000003
【図２】
2020183245.tif 000004
【図３】
2020183245.tif 000005
【図４】
2020183245.tif 000006
【図５】
2020183245.tif 000007
【図６】
2020183245.tif 000008
【図７】
2020183245.tif 000009
【図８】
2020183245.tif 000010
【図９】
2020183245.tif 000011